(57)【要約】【課題】美容液を含浸したガーゼを介してラバーヘッドを眼の周囲のように窪んだ部分でも使用可能な美容器を提供する。【解決手段】下ケース１に中ケース５が取付けられ、上ケース３が中ケース５に対して開閉可能とし、中ケース３の上面に取付けた微振動するラバーヘッド保持体１１を上ケース３を貫通して突出させ、ラバーヘッド保持体１１に装着した導電性ラバーヘッド１０と上ケース３とで美容液を含浸したガーゼを挟持する美容器で、ラバーヘッド１０は、目元に前記布を介してラバーヘッド１０を押し当てた際に、上カバー３の表面が眼の周囲の肌に触れない程度の突出高さを有し、且つ外周部が外方に向かって尖った角部に形成した。【選択図】    図１
2004180901.tif 000002
【特許請求の範囲】
【請求項１】
下ケースに中ケースが固定された容器内に電気部品等が収納され、該中ケースに対して開閉可能に上ケースが取付けられた平面略楕円形状で厚み方向が扁平に形成された美容器本体と、
使用者の手の指が挿入されて前記容器本体を保持する該容器本体の背面側に設けられた指掛け手段と、
前記中ケースの先端部側に取付けられ、前記上ケースに形成された孔部を貫通して突出するラバーヘッド保持体と、
前記ラバーヘッド保持体の表面に装着される導電性ゴムからなるドーム状に形成されたラバーヘッドと、
前記ラバーヘッド保持体を微振動させる加振手段と、
前記指掛け手段に掛けた指が接触する前記容器本体の背面側に露出する導体に接続されると共に、前記導電性のラバーヘッドに接続されるイオン導入回路と、を有し、前記ラバーヘッドと前記上カバーにより化粧液を含浸したガーゼ等の布を挟持した状態で使用される美容器において、
前記ラバーヘッドは、目元に前記布を介して前記ラバーヘッドを押し当てた際に、前記上カバーの表面が眼の周囲の肌に触れない程度の突出高さを有し、且つ外周部が外方に向かって尖った角部に形成されていることを特徴とする美容器。
【請求項２】
前記指掛け手段は、前記下ケースに対して交換可能に設けられ、可撓弾性変形可能な部材により形成されていることを特徴とする請求項１に記載の美容器。
【発明の詳細な説明】
【０００１】
【発明の属する技術分野】
本発明は、掌に保持した状態で顔などの肌にあてて使用する美容器に関するものである。
【０００２】
【従来技術】
従来の掌に保持した状態で顔などの肌にあてて使用する美容器としては、図４〜図６に示すものが提案されている。
【０００３】
図４（Ａ）は正面図、図４（Ｂ）は背面図、図５（Ａ）は外蓋を閉じた状態の斜視図、図５（Ｂ）は外蓋を開いた状態の斜視図、図６（Ａ）は底面図、図６（Ｂ）は図４（Ａ）のＡ―Ａ矢視断面図を示している。
【０００４】
これら図４〜図６に示す従来の美容器は、平面が略楕円形状（或いは卵形状）に形成されていて、下ケース１と、下ケース１に対し、後端側（図４中下側）に設けた枢軸２（図６（Ｂ）参照）を介して外観部材をなす外蓋としての上ケース３と、内部の電気機器等の電源としての電池を交換するための電池蓋４とにより合成樹脂製の外観部材を構成している。
【０００５】
また、上ケース３の内側には、合成樹脂製の内ケース５が下ケース１の開口を覆うように固定されている。この内ケース５の上面には、不図示の偏心モータ等からなる加振手段により加振されるラバーヘッド保持体６が取り付けられている。そして、このラバーヘッド保持体６の外周を覆うように平面円板形状のラバーヘッド７が取り外し可能に装着されている。上ケース３には、上ケース３を閉じた状態でラバーヘッド７が貫通する丸孔３ａが形成されており、上ケース３を開いた状態で化粧液を含浸させたガーゼ（不図示）をラバーヘッド７で覆い、この上ケース３を閉じるとラバーヘッド７の外周と丸孔３ａの内周との間に該ガーゼが緩みなく挟み込まれ、この丸孔３ａから該ガーゼで覆われたラバーヘッド７が突出する。化粧液が含浸された布、例えばガーゼを介してラバーヘッド７を肌に押し付け、ラバーヘッド保持体６を微振動させることにより、化粧液を肌に塗るようにしている。
【０００６】
また、美容器の背面側には、手の人差指と中指とが差し込まれて美容器を引っ掛けて掌に美容器を保持するための指掛け部８が形成されており、この指掛け部８に該人差指と中指を差し込んだ状態で、下ケース１の表面に露出する導体９にこれらの指が接触する。この導体９は下ケース１と内ケース５との間に配置された不図示のイオン導入回路の一方の出力端子に接続され、また該イオン導入回路の他方の出力端子は導電性を有するラバーヘッド７に接続されていて、前記化粧液が含浸されたガーゼを介してイオンが肌の内部に導入され、該化粧液が肌の中に浸透するようになっている。なお、Ｓ１はオンスイッチ、Ｓ２はオフスイッチ、Ｌは表示ランプを示し、指掛け部８に挿入した指先によってオンスイッチＳ１、オフスイッチＳ２を操作できるようになっている。
【０００７】
【発明が解決しようとする課題】
ところで、図４〜図６に示す従来の美容器の外観形状は、卵形形状の球体を扁平状に形成したもので、上面及び背面が略平坦面に形成され、先端及び後端が湾曲面に形成されている。また、ラバーヘッド保持体６は前後の長さ方向の中心より前方位置に設けられ、このラバーヘッド保持体６に被着されるラバーヘッド７の上面は若干湾曲しているが略平坦面に近い曲面に形成され、外観形状が略円盤形状に形成されている。
【０００８】
そして、図６（Ｂ）に示すように、上ケース３を閉じた使用状態において、化粧液を含浸したガーゼを介してラバーヘッド７を肌に押し当てた際、額や頬等の全体的に平坦な面が広い部分ではラバーヘッド７を確実に押し当てることができるが、眼の回り、特に目元に対しては使用者の顔の骨格によっては十分にラバーヘッド７を押し当てることができない場合があった。
【０００９】
このような不具合は、上カバー３の表面から頂点までの突出高さが低く、目元に美容液を含浸したガーゼを介してラバーヘッド７を押し当てた際、上カバー３の表面が眼の周囲の肌に触れ、ラバーヘッド７の表面が目元に適度な押圧力を有して押し当てることができなかったことに起因していた。
【００１０】
一方、ラバーヘッド７を肌に十分に押し当てるには、指掛け部８に人差指と中指がしっかりと挿入されることが望ましいが、指掛け部８は下ケース１に一体的に形成されているため、使用者の指のサイズが指掛け部８の指のサイズより小さい、あるいは大きい場合には指掛け部８に指がしっかりと挿入されず、不安定な状態で美容器を掌に保持することになり、美容液を含浸したガーゼを介してラバーヘッド７が肌に強く押し当てられたり、あるいは殆ど押し当てられなかったりすることが考えられる。特に美容器を眼の回り等の凹凸のある部分に押し当てる際にラバーヘッド７が頬骨に引っ掛かって指掛けから指が抜けることが考えられる。
【００１１】
本願発明の目的は、このような従来の問題に鑑みなされたもので、美容液を含浸したガーゼを介してラバーヘッドを眼の周囲のように窪んだ部分でも使用可能な美容器を提供しようとするものである。
【００１２】
【課題を解決するための手段】
本発明の目的を実現する第１の発明は、請求項１に記載のように、下ケースに中ケースが固定された容器内に電気部品等が収納され、該中ケースに対して開閉可能に上ケースが取付けられた平面略楕円形状で厚み方向が扁平に形成された美容器本体と、使用者の手の指が挿入されて前記容器本体を保持する該容器本体の背面側に設けられた指掛け手段と、前記中ケースの先端部側に取付けられ、前記上ケースに形成された孔部を貫通して突出するラバーヘッド保持体と、前記ラバーヘッド保持体の表面に装着される導電性ゴムからなるドーム状に形成されたラバーヘッドと、前記ラバーヘッド保持体を微振動させる加振手段と、前記指掛け手段に掛けた指が接触する前記容器本体の背面側に露出する導体に接続されると共に、前記導電性のラバーヘッドに接続されるイオン導入回路と、を有し、前記ラバーヘッドと前記上カバーにより化粧液を含浸したガーゼ等の布を挟持した状態で使用される美容器において、前記ラバーヘッドは、目元に前記布を介して前記ラバーヘッドを押し当てた際に、前記上カバーの表面が眼の周囲の肌に触れない程度の突出高さを有し、且つ外周部が外方に向かって尖った角部に形成されていることを特徴とする。
【００１３】
第１の発明によれば、化粧液を含浸したガーゼ等の布を介してラバーヘッドを目元に押し付けると、該ラバーヘッドの角部が目元の窪んだ部分に適度な押し付け力で当たり、目元の肌へ化粧水を十分に浸透させることができる。
【００１４】
本発明の目的を実現する第２の発明は、請求項２に記載のように、上記した第１の発明で、前記指掛け手段は、前記下ケースに対して交換可能に設けられ、可撓弾性変形可能な部材により形成されていることを特徴とする。
【００１５】
この第２の発明では、指サイズの異なる複数の指掛け手段を用意しておけば、使用者の指サイズに合わせたものに交換することにより、手の指を指掛け手段にしっかりと差し込むことができる。その際、指掛け手段はエラストマ等の可撓変形可能な部材により形成しているので、指サイズに多少の差があっても掌にフィットした状態で美容器本体を保持することができ、安定して美容器を肌に当てることができる。
【００１６】
【発明の実施の形態】
図１から図３は本発明による美容器の実施の形態を示す。
【００１７】
図１は美容器の縦断面図、図２は図１のラバーヘッドを示す図、図３は指掛け部材を示す。
【００１８】
本実施の形態の美容器は、外観形状が図４〜図６に示す従来例と同様で、下ケース１に指掛け部材１３が取り外し可能に装着されている。指掛け部材１３は図３（Ａ）（Ｂ）に示すように、挿入される人差指と中指のサイズが異なる２種類の指掛け部材１３Ａと１３Ｂが用意されている。指掛け部材１３は門型に形成され、両側の足部１３ａの先端部にフランジ部１３ｂが形成され、該フランジ部１３ｂの内側と外側にそれぞれ内溝部１３ｃと外溝部１３ｄが形成されている。
【００１９】
下ケース１には、指掛け部材１３の両側の足部１３ａに対応して一対の係合スリット１ａが前後方向に沿って形成され、その端は電池蓋４の前端との突合せ面となる下ケース１の後端まで延びていて、電池蓋４を取り外した状態で下ケース１ａの後端に臨む該一対の係合スリット１ａに一対の足部１３ａの下端部にフランジ部１３ｂにより形成された内外の溝部１３ｃ、１３ｄを差し込むことにより交換した指掛け部材１３を下ケース１に装着できるようになっている。そして、電池蓋４を再び取付けると、この一対の係合スリット１ａの後端が電池蓋４の前端面で塞がれ、指掛け部材１３が抜け出ることがないようになっている。
【００２０】
また、指掛け部材１３はエラストマ材を使用し、肌触りが良く、変形して指にフィットし、指を抜くと元の形状に復元されるようになっており、指サイズに多少の差があっても十分なフィット感が得られるようになっている。
【００２１】
なお、指掛け部材１３は下ケース１の一対の係合スリット１ａにスライドして係合保持されるようになっているが、足部１３ａの先端部に爪部を形成し、したケース１に形成した係合孔にこの爪部を係合させるようにしてもよい。
【００２２】
一方、本実施の形態において、導電性を有するゴムで形成されたラバーヘッド１０は、図２（Ｂ）に示すように、平面が円板形状に形成され、縦断面が略台形に形成されていて、上面及び側面が曲率の異なる円弧からなるドーム状に形成されている。ラバーヘッド１０の外形は、表面における中央部分をなし、緩やかな曲面をなす第１の円弧部１０ａと、この第１の円弧部１０ａの外周端と連なり、ラバーヘッド１０の外周面をなし、該第１の円弧部１０ａよりも急な曲面をなす第２の円弧部１０ｂとにより構成され、第１の円弧部１０ａと第２の円弧部１０ｂとの接点であって折曲点として外方に向かって尖った角部１０ｃに形成されている。
【００２３】
また、ラバーヘッド１０は、上カバー１の表面からラバーヘッド１０の頂点までの高さが約１３ｍｍで、図６（Ｂ）に示す従来例に比べて６ｍｍ程度高く形成され、上カバー１の表面から角部１０ｃまでの高さが約１１ｍｍに形成されていて、目元に美容液を含浸した布、例えばガーゼを介してラバーヘッド１０を押し当てた際に、上カバー３の表面が眼の周囲の肌に触れない程度のクリアランスを有する突出高さに形成されている。
【００２４】
従来の美容器に用いられていたラバーヘッド７は、上カバー３の表面から頂点までの突出高さは約７ｍｍ、外周のＲ形状部までの突出高さは約５ｍｍと低く、目元に美容液を含浸したガーゼを介してラバーヘッド７を押し当てた際、上カバー３の表面が眼の周囲の肌に触れ、ラバーヘッド７の外周部が目元に適度な押圧力を有して押し当てることができなかったが、本実施の形態では、上述のように、上カバー３と目元の周囲の肌の間にクリアランスが得られるので、ラバーヘッド１０を目元に適度な押圧力を有して押し当てることができる。
【００２５】
その際、従来例のようにラバーヘッド７の上面と側面との交点部が丸みを帯びたＲ形状に形成されていると、目元部分はラバーヘッド７の上面ではなく該Ｒ形状部分が面で接触するため、たとえ高さを本実施の形態のように高くしても全体的に肌への接触圧が弱くなる。
【００２６】
これに対し、本実施の形態では、ラバーヘッド１０が目元部分に接触する角部１０ｃは外方に向かって尖った形状であるため、従来例とは異なり、面ではなく点でラバーヘッド１０が美容液を含浸したガーゼを介して目元部分に接触するので、ラバーヘッド１０を適度に強い接触圧で目元部分の肌に押し付けることができ、美容液を肌に十分に浸透させることができる。
【００２７】
１１はラバーヘッド１０の内径形状に合致した外形形状を有するラバーヘッド保持体で、加振手段としての偏心モータ１２に取付けられており、この偏心モータ１２は内ケース３に取付けられ、該偏心モータ１２を駆動するとラバーヘッド保持体１１が美容器の厚み方向と直交する平面内で微振動し、ラバーヘッド１１と一体に美容液が含浸されたガーゼが微振動して肌へのマッサージ効果とともに美容液が浸透する。さらに、ラバーヘッド１０は導電性を有しているので、不図示のイオン導入回路と接続され、皮膚内へ導入されるイオンにより美容液が皮膚内により深く浸透される。
【００２８】
下ケース１と内ケース３内には、電子部品等が取付けられた配線基板１４、美容器内の各種の電気機器の電源である電池１５等が配置されているが、このような電気部品の配置やその機能については本発明と直接関係がないため、その詳細な図示及び説明を省略する。
【００２９】
また、１６は操作ボタンで、押すと上ケース３とのロックが外れて上ケース３を開くことができる。本実施の形態において、ラバーヘッド１０が上ケース３の丸孔３ａから長く突出しているため、該丸孔３ａの内周とラバーヘッド１０の外周との間のクリアランスが狭いと、上ケース３の開閉の際にラバーヘッド１０に丸孔の内周が引っ掛かり、上ケース３の開閉に支障を招くおそれがあるため、この丸孔３ａを前後方向に若干長い楕円形状に形成するようにしても良い。
【００３０】
【発明の効果】
請求項１に係る発明によれば、化粧液を含浸したガーゼ等の布を介してラバーヘッドを目元に押し付けると、該ラバーヘッドの角部が目元の窪んだ部分に適度な押し付け力で当たり、目元の肌へ化粧水を十分に浸透させることができる。
【００３１】
請求項２に係る発明によれば、指サイズの異なる複数の指掛け手段を用意しておけば、使用者の指サイズに合わせたものに交換することにより、手の指を指掛け手段にしっかりと差し込むことができる。その際、指掛け手段はエラストマ等の可撓変形可能な部材により形成しているので、指サイズに多少の差があっても掌にフィットした状態で美容器本体を保持することができ、安定して美容器を肌に当てることができる。
【図面の簡単な説明】
【図１】本発明による美容器の実施の形態を示す縦断面図。
【図２】図１のラバーヘッドを示し、（Ａ）は縦断面図、（Ｂ）は平面図。
【図３】図１の指掛け部材およびしたケースとの係合状態を示し、（Ａ）（Ｂ）はサイズの異なる指掛け部材の側面図、（Ｃ）は平面図。
【図４】従来の美容器を示し、（Ａ）は正面図、（Ｂ）は背面図。
【図５】図４の美容器の斜視図を示し、（Ａ）は外ケースを閉じた状態、（Ｂ）は外ケースを開いた状態を示す。
【図６】図４の美容器を示し、（Ａ）は底面図、（Ｂ）は図４（Ａ）のＡ―Ａ矢視断面図。
【符号の説明】
Ｓ１  オンスイッチ
Ｓ２  オフスイッチ
Ｌ  表示ランプ
１  下ケース        １ａ  係合スリット
２  枢軸
３  上ケース      ３ａ  丸孔
４  電池蓋
５  内ケース
６  ラバーヘッド保持体
７  ラバーヘッド
８  指掛け部
９  導体
１０  ラバーヘッド
１０ａ  第１の円弧部
１０ｂ  第２の円弧部
１０ｃ  角部
１１  ラバーヘッド保持体
１２  偏心モータ
１３、１３Ａ、１３Ｂ  指掛け部材
１３ａ  足部
１３ｂ  フランジ部
１３ｃ  内溝部
１３ｄ  外溝部
１４  配線基板
１５  電池
１６  操作ボタン
【図１】
2004180901.tif 000003
【図２】
2004180901.tif 000004
【図３】
2004180901.tif 000005
【図４】
2004180901.tif 000006
【図５】
2004180901.tif 000007
【図６】
2004180901.tif 000008